(57)【要約】【課題】施工条件の違いがあっても、種々のルーバーが取り付いても、確実にルーバーの着脱が検知できて、安定した運転ができ、かつ、安全にお掃除ができる換気装置を提供することを目的とする。【解決手段】ルーバー８の裏面側に二又状の開き勝手のばね１０を設け、フレーム２の内部にばね８の挿入開口１１を有したばね係合部１２を設け、挿入開口１１には、挿入されたばね１０に押されて回動するばね着脱検知板１３を備え、ばね着脱検知板１３に、その取り外し・装着の検知に応じてＯＮ・ＯＦＦするスイッチ１４と、スイッチ１４のＯＮ・ＯＦＦを認識し、電動機７を停止・運転する制御手段１５とを備えたことにより、ルーバー８の着脱を確実に検知して、確実に電動機７を運転・停止することができ、お掃除時の際に安全性を向上させることができる。【選択図】図１
2010190506.tif 000002
【特許請求の範囲】
【請求項１】
室内側に開口を有した箱状のフレームと、前記フレーム内に配設され、室内側に吸込口を有し側部に吐出口を有したケーシングと、前記ケーシング内に配設された遠心送風羽根と、前記遠心送風羽根を回転駆動する電動機と、前記フレームの開口を室内側から覆うルーバーとを備え、前記ルーバーの裏面側の通風開口部周辺に二又状の開き勝手のばねを設けるとともに、前記フレームの内部に前記ばねが挿入されて係合する挿入開口を有したばね係合部を設け、前記挿入開口には、挿入された前記ばねに押されて回動するばね着脱検知板を備え、前記ばね着脱検知板に、その取り外し・装着の検知に応じてＯＮ・ＯＦＦするスイッチと、前記スイッチのＯＮ・ＯＦＦを認識し、前記電動機を停止・運転する制御手段とを備えた換気装置。
【請求項２】
ばね着脱検知板を、その回動支点を基準に、ばねによって押される側をもう一方側より長くした請求項１記載の換気装置。
【請求項３】
ばね着脱検知板に、ばね取り外し時の方向に回動するように付勢した復帰ばねを設けた請求項１または２記載の換気装置。
【請求項４】
フレーム内部に、スイッチのＯＮを認識して点灯する照明装置を設けた請求項１〜３のいずれかに記載の換気装置。
【請求項５】
スイッチのＯＮを認識して音声案内を行うスピーカーを設けた請求項１〜４のいずれかに記載の換気装置。
【請求項６】
ルーバーの取り外し履歴を記憶する記憶装置を有し、前記履歴を使用者が知ることができる表示手段を設けた請求項１〜５のいずれかに記載の換気装置。
【請求項７】
表示手段は使用者に適切なお掃除時期を知らせる構成とした請求項６記載の換気装置。
【発明の詳細な説明】
【技術分野】
【０００１】
本体の室内側に吸込口として設けられた開口を、ルーバーで覆う換気装置に関する。
【背景技術】
【０００２】
従来、この種の換気装置として天井埋込形換気扇が知られている（例えば、特許文献１参照）。
【０００３】
以下、その天井埋込形換気扇について図７を参照しながら説明する。
【０００４】
図に示すように、羽根１０２を固着した電動機１０３を内部に設けた本体１０１を、天井１０７に設けた木枠１０８に設置し、本体１０１の室内側に開口した吸込口１０４に、ルーバー１０５を装着している。ルーバー１０５の外周端部は、設置状態の美観を得るために天井１０７に当接させている。
【０００５】
ところで、長時間天井埋込換気扇を運転すると、排気する室内空気中の塵埃等が本体１０１の内部に付着して汚れてくるので、ルーバー１０５を取り外してお掃除をすることとなるが、このお掃除をするとき、天井埋込形換気扇では、天井１０７の本体１０１と離れて室内の下方に電源スイッチがあるので、電源スイッチを切り忘れた状態で本体１０１の内部に手を入れてしまうということが懸念される。
【０００６】
そこで、ルーバー１０５を取り外すと、その取り外しに連動して開放し、電動機１０３を停止する電源遮断スイッチ１０６を本体１０１の内部に設けている。そして、ルーバー１０５を本体１０１に装着すると、その装着に連動して電源遮断スイッチ１０６が閉成状態となる。
【特許文献１】特開平４−３５９７３２号公報
【発明の開示】
【発明が解決しようとする課題】
【０００７】
このような従来の天井埋込形換気扇では、本体１０１を天井１０７の木枠１０８に取り付け、ルーバー１０５の外周端部を天井１０７に当接させているので、施工条件の違いによって、ルーバー１０５と電源遮断スイッチ１０６の距離が一定に決まらず、電源遮断スイッチ１０６の作動が不安定となる課題があった。すなわち、木枠１０８に対し、下から本体１０１を挿入して施工された場合と、本体１０１を木枠１０８の上に載せて施工する場合とでは、本体１０１とルーバー１０５の距離が異なり、また天井材の厚みによっても本体１０１とルーバー１０５の距離が異なるため、電源遮断スイッチ１０６とルーバー１０５の距離は一定には決まらない。
【０００８】
したがって、施工条件によっては、電源遮断スイッチ１０６とルーバー１０５の距離が離れ過ぎて、ルーバー１０５を装着しても電動機１０３が確実に通電状態にならなく、また、遠い距離にも十分対応できることを主眼に構成されると、本体１０１とルーバー１０５が近接するような設置状態では、電源遮断スイッチ１０６に過大な力が継続して加わる状態となって、ルーバー１０５を取り外しても電源遮断スイッチ１０６が完全に開放状態に切り替わらないこともある。
【０００９】
また、上記の課題は、高さ、形状等の異なるルーバー１０５の種類によっても、起こり得るものであった。
【００１０】
本発明は、このような従来の課題を解決するものであり、施工条件の違いがあっても、また、種々のルーバーが取り付いても、確実にルーバーの着脱が検知できて、安定した運転ができ、かつ、安全にお掃除ができる換気装置を提供することを目的とする。
【課題を解決するための手段】
【００１１】
本発明の換気装置は、上記目的を達成するために、室内側に開口を有した箱状のフレームと、前記フレーム内に配設され、室内側に吸込口を有し側部に吐出口を有したケーシングと、前記ケーシング内に配設された遠心送風羽根と、前記遠心送風羽根を回転駆動する電動機と、前記フレームの開口を室内側から覆うルーバーとを備え、前記ルーバーの裏面側の通風開口部周辺に二又状の開き勝手のばねを設けるとともに、前記フレームの内部に前記ばねが挿入されて係合する挿入開口を有したばね係合部を設け、前記挿入開口には、挿入された前記ばねに押されて回動するばね着脱検知板を備え、前記ばね着脱検知板に、その取り外し・装着の検知に応じてＯＮ・ＯＦＦするスイッチと、前記スイッチのＯＮ・ＯＦＦを認識し、前記電動機を停止・運転する制御手段とを備えたものである。
【００１２】
また、ばね着脱検知板を、その回動支点を基準に、ばねによって押される側をもう一方側より長くしたものである。
【００１３】
また、他の手段は、ばね着脱検知板に、ばね取り外し時の方向に回動するように付勢した復帰ばねを設けたものである。
【００１４】
また、他の手段は、フレーム内部に、スイッチのＯＮを認識して点灯する照明装置を設けたものである。
【００１５】
また、他の手段は、スイッチのＯＮを認識して音声案内を行うスピーカーを設けたものである。
【００１６】
また、他の手段は、ルーバーの取り外し履歴を記憶する記憶装置を有し、前記履歴を使用者が知ることができる表示手段を設けたものである。
【００１７】
また、他の手段は、表示手段は使用者に適切なお掃除時期を知らせる構成としたものである。
【発明の効果】
【００１８】
本発明によれば、フレームの開口を室内側から覆うルーバーの裏面側の通風開口部周辺に二又状の開き勝手のばねを設けるとともに、フレームの内部にばねが挿入されて係合する挿入開口を有したばね係合部を設け、挿入開口には、挿入されたばねに押されて回動するばね着脱検知板を備え、ばね着脱検知板に、その取り外し・装着の検知に応じてＯＮ・ＯＦＦするスイッチと、スイッチのＯＮ・ＯＦＦを認識し、前記電動機を停止・運転する制御手段とを備えたことにより、施工条件の相違あるいは設置される天井板の厚みの差に影響を受けることなく、お掃除の際に電動機を確実に運転、停止させることができ、停止時のお掃除の際には手などのけがを確実に防止でき、安全性を向上させることができるという効果のある換気装置を提供することができる。
【００１９】
また、ばね着脱検知板を、その回動支点を基準に、ばねによって押される側をもう一方側より長くしたことにより、より確実にルーバーの有無を検知でき、お掃除時には確実に電動機の運転が停止して、安全性がより向上する。
【００２０】
また、ばね着脱検知板に、ばね取り外し時の方向に回動するように付勢した復帰ばねを設けたことにより、お掃除時に確実に電動機の運転が停止して、さらに安全性が向上する。
【００２１】
また、フレーム内部に、スイッチのＯＮを認識して点灯する照明装置を設けたことにより、遠心送風羽根の回転が停止したことを目で見て確認することができ、お掃除時の安全性を向上させることができる。また、取り外す部品が見やすくなり、さらに汚れの状態を確認しやすくなることによってお掃除性が向上する。
【００２２】
また、スイッチのＯＮを認識して音声案内を行うスピーカーを設けたことにより、遠心送風羽根の回転の停止が音声によって確実に確認でき、安全性が向上する。さらに掃除の方法がわかりやすくなり、掃除性が向上する。
【００２３】
また、ルーバーの取り外し履歴を記憶する記憶装置を有し、履歴を使用者が知ることができる表示手段を設けたことにより、使用者がお掃除の履歴を知ることができ、適切な時期にお掃除をすることによって換気装置の性能を維持し続けることができる。
【００２４】
また、表示手段は使用者に適切なお掃除時期を知らせる構成としたことにより、使用者が適切なお掃除時期を知らされることで、適切な時期にお掃除をすることによって換気装置の性能を維持し続けることができる。
【発明を実施するための最良の形態】
【００２５】
本発明の請求項１記載の換気装置は、フレームの開口を室内側から覆うルーバーの裏面側の通風開口部周辺に二又状の開き勝手のばねを設けるとともに、前記フレームの内側面に前記ばねが挿入されて係合する挿入開口を有したばね係合部を設け、前記挿入開口には、挿入された前記ばねに押されて回動するばね着脱検知板を備え、前記ばね着脱検知板に、その取り外し・装着の検知に応じてＯＮ・ＯＦＦするスイッチと、前記スイッチのＯＮ・ＯＦＦを認識し、前記電動機を停止・運転する制御手段とを備えた構成としたものであり、ルーバーの装着時には、施工条件の相違あるいは設置される天井板の厚みの差に影響されることなく、ルーバーのばねがばね係合部の挿入開口に挿入され、ばね着脱検知板によりばねの装着を確実に検知でき、電動機の運転を行うことができ、一方、ルーバー取り外し時には、ばねがばね係合部から外れることで、ばねの取り外しをばね着脱検知板にて確実に検知し、お掃除の際に電動機の運転を確実に停止させることができるという作用を有する。
【００２６】
また、請求項２記載の換気装置は、ばね着脱検知板を、その回動支点を基準に、ばねによって押される側をもう一方側より長くしたものであり、ばね着脱検知板のばねに押される範囲が大きくなり、ばねの挿入状態に関わらず安定してばね着脱検知板を回動させることができ、また、ばねが外された場合にも、ばね着脱検知板が定位置へ戻る動作がスムーズになる。
【００２７】
また、請求項３記載の換気装置は、ばね着脱検知板に、ばね取り外し時の方向に回動するように付勢した復帰ばねを設けたものであり、ルーバーが取り外されると、ばね着脱検知板が復帰ばねによって定位置に強制的に戻されることとなる。
【００２８】
また、請求項４記載の換気装置は、フレーム内部に、スイッチのＯＮを認識して点灯する照明装置を設けたものであり、ルーバーが取り外されると、ばね着脱検知板によりスイッチがＯＮして、ばねが外れたことを検知し、照明装置を点灯させてフレーム内部を照らす。
【００２９】
また、請求項５記載の換気装置は、スイッチのＯＮを認識して音声案内を行うスピーカーを設けたものであり、ルーバーが取り外されると、ばね取付検知板によりスイッチがＯＮして、ばねが外れたことを検知し、スピーカーへ電源を入力して運転の停止や掃除方法等を案内する。
【００３０】
また、請求項６記載の換気装置は、ルーバーの取り外し履歴を記憶する記憶装置を有し、前記履歴を使用者が知ることができる表示手段を設けたものであり、記憶装置に記憶されたルーバーの取り外し履歴を、表示手段により使用者が知ることができる。
【００３１】
また、請求項７記載の換気装置は、表示手段は使用者に適切なお掃除時期を知らせる構成としたものであり、使用者は適切なお掃除時期を、表示手段により知らされて確実に認識できることとなる。
【００３２】
以下、本発明の実施の形態について、図１〜図６を参照しながら説明する。
【００３３】
（実施の形態１）
実施の形態１における換気装置は、天井埋込形換気扇である。
【００３４】
図１および図２に示すように、室内側に開口１を有した箱状のフレーム２が、天井板Ｃに形成した天井開口から天井裏に挿入設置され、フレーム２内には、室内側に吸込口３を有し、側部に吐出口４を有したケーシング５と、ケーシング５に内包された遠心送風羽根６と、遠心送風羽根６を回転駆動する電動機７とが設けられ、フレーム２の開口１を室内側から覆うルーバー８が装着されている。
【００３５】
ルーバー８は、その裏面側の通風開口部９周辺に、二又状の開き勝手のばね１０が設けられ、一方、フレーム２の内部のケーシング５端部にばね１０が挿入されて係合する挿入開口１１を有したばね係合部１２が設けられており、ルーバー８を取り付ける際には、ばね１０を縮小して閉状態とし、ばね係合部１２の挿入開口１１にばね１０の先端を挿入し、ばね１０を開放することで、ルーバー８が天井面側に引き寄せられ、ルーバー８を取り付けることができる。
【００３６】
そして、挿入開口１１には、挿入されたばね１０に押されて回動するばね着脱検知板１３を備えており、図３に示すように、ばね着脱検知板１３には、回動支点１３ａを基準にばね１０に押される側（図３における下側）の反対側に、後述のスイッチ１４を設けている。また、ばね着脱検知板１３は、ばね１０に押される側の寸法Ｌ１をもう一方側の寸法Ｌ２より長くして形成されている。
【００３７】
そして、図４に示すように、ばね着脱検知板１３に、ばね１０取り外し時の方向に回動するように付勢した復帰ばね１６を設けており、図４（ａ）に示すように、ばね１０を取り外すと、ばね着脱検知板１３は復帰ばね１６によって回動し、定位置に強制的に戻され、定位置になるとスイッチ１４がＯＮする構成となっており、一方、ばね１０を装着すると、ばね着脱検知板１３がばね１０に押されて回動し、スイッチ１４がＯＦＦする構成となっている。
【００３８】
そして、図５に示すように、スイッチ１４がＯＮまたはＯＦＦを認識すると、電動機７を停止または運転する制御手段１５を備えるとともに、スイッチ１４のＯＮを認識して点灯する照明装置１７をフレーム２内部の、フランジ部２ａに近接した箇所に遠心送風羽根６を照らすように設け、また、スイッチ１４のＯＮを認識して電動機７の停止とお掃除方法を音声案内するスピーカー１８を、室内方向に向けて設けている。さらに、ルーバー８の取り外し履歴を記憶する記憶装置１９を設け、その履歴を使用者が知ることができる表示手段２０を、使用者がルーバー８を外した際に視認し易いように、フレーム２内側に室内方向へ向けて設けている。
【００３９】
上記構成により、ルーバー８の装着時には、施工条件の相違あるいは設置される天井板Ｃの厚みの差に影響されることなく、ルーバー８のばね１０がばね係合部１２の挿入開口１１に挿入され、ばね１０の挿入によってばね着脱検知板１３が回動し、スイッチ１４がＯＦＦすることによりばね１０の装着を確実に検知でき、ルーバー８の装着時には確実に電動機７の運転を行うことができる。一方、ルーバー８の取り外し時には、ばね１０がばね係合部１２から外れることで、ばね着脱検知板１３が定位置に戻りスイッチ１４がＯＮすることで、ルーバー８の取り外しを確実に検知し、電動機７の運転を確実に停止させることができ、お掃除の際に手などのけがを確実に防止でき、安全性を向上させることができる。
【００４０】
また、ばね着脱検知板１３を、その回動支点１３ａを基準に、ばね１０によって押される側をもう一方側より長くしたことにより、ばね着脱検知板１３のばね１０に押される範囲が大きくなり、ばね１０の挿入状態にかかわらず安定してばね着脱検知板１３を回動させることができ、また、ばね１０が外された場合にも、ばね着脱検知板１３が定位置へ戻る動作がスムーズになる。したがって、より確実にルーバー８の有無を検知でき、お掃除時には確実に電動機７の運転が停止し、安全性が向上する。
【００４１】
また、ばね着脱検知板１３に、ばね１０取り外し時の方向に回動するように付勢した復帰ばね１６を設けたことにより、復帰ばね１６によって定位置に強制的に戻されることで確実にルーバ−８の取り外しを検知できる。したがって、お掃除時には確実に電動機７の運転が停止し、安全性がより向上する。
【００４２】
そして、ルーバー８が取り外されると、ばね着脱検知板１３によりスイッチ１４がＯＮして、ばね１０が外れたことを制御手段１５により検知し、照明装置１７を点灯させてフレーム２内部を照らすので、使用者が室内側から遠心送風羽根６をより見やすくなり、遠心送風羽根６の回転が停止したことを目で見て確認することができ、お掃除時の安全性を向上させることができる。また、取り外す部品がより見やすくなり、さらに汚れの状態を確認しやすくなることによって、お掃除性が向上する。
【００４３】
また、ルーバー８が取り外されると、ばね着脱検知板１３によりスイッチ１４がＯＮして、ばね１０が外れたことを検知し、スピーカー１８へ電源を入力して運転の停止や掃除方法等を案内するので、遠心送風羽根６の回転の停止が音声によって確実に確認でき、安全性が向上するとともに、お掃除の方法がわかりやすくなり、掃除性が向上する。
【００４４】
そして、使用者がルーバー８を外した際、ルーバー８の取り外し履歴を知ることができる表示手段２０をフレーム２内側の視認し易い箇所に設けているので、使用者がルーバー８を外した際、過去のお掃除履歴を表示手段２０により知ることができる。
【００４５】
なお、本実施の形態１では、換気装置を天井埋込形換気扇としたが、フレームを室壁に埋め込んでルーバーを室内壁面に装着する換気装置であっても、その作用、効果に差異はない。
【００４６】
（実施の形態２）
実施の形態２の換気装置は、図６に示すように、上記実施の形態１の換気装置に対し、表示手段２０Ａを室内へと向けて点灯するランプ表示とし、ルーバー８Ａにランプ表示が透過する透明部２１を設け、使用者に適切なお掃除時期を知らせる構成とした点が相違する。
【００４７】
上記構成において、表示手段２０Ａのランプ表示がルーバー８Ａの透明部２１を透過し、室内側から視認できることにより、適切なお掃除時期を使用者に知らせることができ、適切な時期にお掃除をすることによって天井埋込形換気扇の性能を維持し続けることができる。
【産業上の利用可能性】
【００４８】
本発明は、お掃除の際に、ルーバーの着脱によって電動機を確実に運転・停止させることができ、停止時のお掃除の際には手などのけがを確実に防止でき、安全性を向上させることができる効果を奏し、室内側に開口する本体の吸込口を覆うルーバーを設けた空調機、送風機等に広く適用できる。
【図面の簡単な説明】
【００４９】
【図１】本発明の実施の形態１の換気装置を示す一部破断側面図
【図２】同換気装置の斜視図
【図３】同換気装置のばね着脱検知板を示す斜視図
【図４】（ａ）同換気装置のフレームの係合部からばねを外した状況を示す説明図、（ｂ）同フレームの係合部にばねを係合した状況を示す説明図
【図５】同換気装置の制御回路図
【図６】本発明の実施の形態２の換気装置を示す斜視図
【図７】従来の換気装置を示す設置断面図
【符号の説明】
【００５０】
１      開口
２      フレーム
３      吸込口
４      吐出口
５      ケーシング
６      遠心送風羽根
７      電動機
８      ルーバー
９      通風開口部
１０    ばね
１１    挿入開口
１２    ばね係合部
１３    ばね着脱検知板
１３ａ  回動支点
１４    スイッチ
１５    制御手段
１６    復帰ばね
１７    照明装置
１８    スピーカー
１９    記憶装置
２０    表示手段
２０Ａ  表示手段
【図１】
2010190506.tif 000003
【図２】
2010190506.tif 000004
【図３】
2010190506.tif 000005
【図４】
2010190506.tif 000006
【図５】
2010190506.tif 000007
【図６】
2010190506.tif 000008
【図７】
2010190506.tif 000009